(57)【特許請求の範囲】
【請求項１】
外枠と、前記外枠の前面に開閉自在に取り付けられた前面枠及びガラス扉とを有するパチンコ遊技機において、
前記外枠の開放側内側面に取付板部と支持板部とにより断面Ｌ字形に形成された縦長の固定プレートの該取付板部を固着し、前記前面枠の開放側裏面には係止金具を固着し、
前記固定プレートの取付板部の上面には鉤片を有する昇降杆を上下に摺動可能に支持すると共に、該鉤片が前記外枠の内側面に位置するようにし、
前記固定プレートの支持板部には一対のブラケットを突出させると共に、該ブラケットにはカム板が錠軸に固着された状態のシリンダ錠を着脱自在に取り付け得るようにし、
さらに前記前面枠には前記シリンダ錠の鍵孔が形成された前面部分を臨ませるための開口孔を設け、
前記昇降杆の鉤片を前記係止金具に係合させて前記前面枠を施錠すると共に、前記カム板の回動により前記昇降杆を上下方向へ摺動させて該鉤片と該係止金具の係合を解除し、それによって前記前面枠の施錠を解錠するようにしたパチンコ遊技機の施錠装置。
【請求項２】
前記ブラケットは、前記固定プレートの支持板部を切り起こして形成されていることを特徴とする請求項１記載のパチンコ遊技機の施錠装置。
【請求項３】
前記外枠又は前面枠のいずれか一方に、前面枠を常に開放する方向に付勢する付勢手段を設けたことを特徴とする請求項１又は２記載のパチンコ遊技機の施錠装置。
【発明の詳細な説明】
【０００１】
【発明の属する技術分野】
本発明は、パチンコ遊技機の施錠装置に関するものである。
【０００２】
【従来の技術】
従来、パチンコ遊技機の施錠装置として、例えば図１１に示すように前面枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けると共に、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させると共に、係止金具１０８，１０８と鉤片１０４，１０４との係合を解除して前面枠１００を解錠するように構成されたものが知られていた（例えば実公昭５８−４５３８号公報参照）。
【０００３】
【発明が解決しようとする課題】
従来のパチンコ遊技機の施錠装置にあっては、上下一対の鉤片を有する昇降杆が前面枠側に取付けられていて該鉤片が前面枠の後方に突出した状態になっているため、前面枠を外枠に組付ける際に鉤片を誤って外枠に突き当てて折り曲げてしまったり、或いはホールの営業中に球止り等のトラブル発生によって店員が前面枠を急いで開放する際に鉤片に手を引掛けてけがを負うような危険性があってその改善策が強く要望されていた。
【０００４】
一方、最近ではシリンダ錠の損傷やキーの盗難による防犯上の理由からシリンダ錠のみの交換が容易にできるようなパチンコ遊技機の施錠装置が多く提案されている（例えば実公平４−３２１５０号公報，実公平６−２７０９号公報参照）。
【０００５】
しかし、従来のパチンコ遊技機の施錠装置にあっては、いずれもシリンダ錠や昇降杆が基枠体を介して前面枠の開放側裏面に取付けられているため、シリンダ錠の錠軸に取り付けられるカム板と昇降杆の係合位置関係に高い精度が要求されてシリンダ錠の交換作業が困難であったり、構造が複雑となってコスト高になるという問題点があった。
【０００６】
本発明は、上記のような問題点を解決するもので、前面枠を安心して開放することができ、しかもシリンダ錠を容易に交換できる新規なパチンコ遊技機の施錠装置を提供することを目的としている。
【０００７】
【課題を解決するための手段】
上記目的を達成するために、本発明のパチンコ遊技機の施錠装置は、外枠と、該外枠の前面に開閉自在に取付けられた前面枠及びガラス扉とを有するパチンコ遊技機において、外枠の開放側内側面に沿って縦長の固定プレートを固着し、該固定プレートには鉤片を有する昇降杆とシリンダ錠を設けると共に、該シリンダ錠の錠軸にカム板を固着し、一方、前面枠の開放側裏面に係止金具を固着すると共に、シリンダ錠の鍵孔が形成された前面部分を臨ませるための開口孔を設け、前記昇降杆の鉤片を係止金具に係合させて前面枠を施錠すると共に、カム板の回動により昇降杆を上下方向へ摺動させて鉤片と係止金具の係合を解錠し、それによって前面枠の施錠を解除しうるようにしたものである。
【０００８】
また、シリンダ錠の交換を容易に行なうことができるように、前記固定プレートに上下一対のブラケットを一体に設け、該ブラケットにシリンダ錠をねじにより着脱自在に取り付けるようにするのが好ましい。
【０００９】
さらに、解錠後の前面枠を容易に開放することができるように、外枠又は前面枠のいずれか一方に、前面枠を常に開放する方向に付勢する付勢手段を設けるのが好ましい。
【００１０】
上記のように構成されたパチンコ遊技機の施錠装置は、前面枠の開口孔からシリンダ錠の鍵孔にキーを挿入して一方向に回動することにより、前面枠の施錠が解錠され該前面枠を開放することができる。この際に、外枠の開放側内側面に鉤片を有する昇降杆が設けられているため、前面枠の開放時に昇降杆の鉤片が外枠の内側面に位置することになり、パチンコ遊技機の組立時に鉤片が誤って折曲げられたり、該鉤片に手を引掛けてけがを負うような事態を確実に解消することが可能となる。また、シリンダ錠を止着しているねじを外すことにより、該シリンダ錠を固定プレートのブラケットから取外して容易に交換することが可能となる。
【００１１】
【発明の実施の形態】
以下、本発明の実施の形態を図面を参照して説明する。図１は本発明が適用されるパチンコ遊技機の正面図、図２は図１のパチンコ遊技機の前面枠を開放した状態の斜視図である。図において、１はパチンコ機の外枠、２は外枠１の前面に開閉自在に取付けられた前面枠、３は前面枠２の裏面に遊技盤取付枠４を介して着脱可能に装着された遊技盤、５は遊技盤３の前面を覆うように前面枠２の開口部６に開閉可能に取付けられたガラス扉である。このガラス扉５の開放側側縁には周知構造の錠止装置７（図１０参照）が設けられており、遊技盤取付枠４の中空部内に位置する開放レバー８を下動することによってガラス扉５の施錠が解錠されると共に、ガラス扉５が開放可能となる。
【００１２】
しかして、本発明の実施の形態のパチンコ遊技機の施錠装置は、図２に示すように外枠１側に取付けられる主要構成部９と、前面枠２側に取付けられる係止金具１０，１０によって構成される。
【００１３】
前記主要構成部９は、図３に示すように外枠１の開放側内側面に沿って固着される縦長の固定プレート１１と該固定プレート１１に上下方向へ摺動自在に設けられる昇降杆１２及びシリンダ錠１３等から構成されている。
【００１４】
前記固定プレート１１は、図４に示すように取付板部１１ａと支持板部１１ｂとにより断面Ｌ字形に形成され、その取付板部１１ａを外枠１の開放側内側面に当てがって複数のねじ１４で固着される。また、取付板部１１ａには昇降杆１２の案内片１５、取付用孔１６、後述するカム板３８の第１カム突起３６を逃すための長孔１７等が形成されている。
【００１５】
前記昇降杆１２は、固定プレート１１の取付板部１１ａの上面に重合され、かつ該取付板部１１ａの透孔１８，１８にカシメ着される装着ピン１９，１９を長孔２０，２０内に臨ませることによって上下摺動可能に支持されている。また、昇降杆１２の上下両端には一対の鉤片２１，２１が形成されると共に、上部位置には係合孔２２が穿設されている。そして、固定プレート１１の支持板部１１ｂと昇降杆１２に設けられたばね掛け部２３，２３間にスプリング２４を張り渡して昇降杆１２を常に上方向に付勢するようになっている。
【００１６】
一方、前記固定プレート１１の支持板部１１ｂには切り起こしによりシリンダ錠１３を取り付けるための一対のブラケット２５，２５が側方に突出形成され、さらに昇降杆１２の浮き上がりを抑止する複数の突起部２６、取付片２７等が形成されている。
【００１７】
前記シリンダ錠１３は、前面にキー２８が挿入される鍵孔２９が形成された錠本体３０と両側方へ突出する取付片部３１，３１とを一体に有し、該取付片部３１，３１をブラケット２５，，２５の受部２５ａ，２５ａに当てがい取付片部３１，３１の取付用孔３２，３２から受部２５ａ，２５ａのねじ孔３３，３３にねじ３４，３４を螺合することにより着脱可能にねじ止めされる。
【００１８】
また、シリンダ錠１３の錠軸３５にはＬ字形に折曲された第１カム突起３６と横方向に突設された第２カム突起３７とを備えたカム板３８がねじ３９により固着されており、第１カム突起３６の先端の係合片部４０が昇降杆１２の係合孔２２に係合可能なように位置され、第２カム突起３７が前記ガラス扉５の開放レバー８の上方に臨むように位置されている。なお、前記ブラケット２５，２５は、図５に示すようにシリンダ錠１３をねじ止めした状態において該シリンダ錠１３の鍵孔２９が形成された前面部分が閉止状態にある前面枠２の開口孔４１に臨むようにその長さが選らばれている。また、前記外枠１の上枠部１ａ前面には、前面枠２を常に開放方向に付勢する付勢手段としての板ばね４２が取り付けられている。
【００１９】
上記のように構成された施錠装置は、図５実線で示すように前面枠２が閉止された状態のとき昇降杆１２の鉤片２１，２１が前面枠２の係止金具１０，１０に下方から係合して該前面枠２が施錠状態となっている。この施錠状態においてシリンダ錠１３の鍵孔２９にキー２８を挿入して図５矢印Ａ方向へ回動すると図８に示すように錠軸３５と一体にカム板３８が反時計廻り方向（矢印イ方向）に回動し、該カム板３８の第１カム突起３６が昇降杆１２の係合孔２２に係合して該昇降杆１２をスプリング２４の付勢に抗して下方（矢印ロ方向）に移動させる。これによって図５鎖線のように鉤片２１，２１と係止金具１０，１０との係合が解除され前面枠２が解錠される。そして、図６に示すように前面枠２が解錠されると同時に板ばね４２によって前面枠２が前方へ押し出されることになり、該前面枠２を容易に開放することができる。
【００２０】
一方、ガラス扉５を開く場合は、シリンダ錠１３を上記とは逆方向に回動操作してカム板３８を図９に示すように時計廻り方向（矢印ハ方向）に回動させる。これによって第２カム突起３７が開放レバー８を下方へ押し下げ、錠止装置７によるガラス扉５の施錠が解錠される。
【００２１】
また、シリンダ錠１３を交換する場合は、前面枠２を開放してブラケット２５，２５に止着されているねじ３４，３４を外すことによりシリンダ錠１３を簡単に取り外すことができ、該シリンダ錠１３の交換が容易にできる。
【００２２】
なお、本実施の形態において前面枠２の開口孔４１は、キー２８をシリンダ錠１３の鍵孔２９に差し込んだ状態で前面枠２を開放できるような形状に形成されているが、シリンダ錠１３の錠本体３０が臨む程度の孔であってもよい。この場合には、前面枠２を解錠した後キー２８を抜き取って前面枠２を開放すればよい。
【００２３】
また、本実施の形態では外枠１側に付勢手段としての板ばね４２を設けているが、該板ばね４２を前面枠２側に設けるようにしてもよい。さらに、付勢手段としてコイルばね等であってもよい。
【００２４】
【発明の効果】
以上説明したところから明らかなように、本発明に係るパチンコ遊技機の施錠装置は、外枠側に主要構成部である上下一対の鉤片を有する昇降杆とシリンダ錠を取り付けると共に、前面枠側に昇降杆の鉤片が係脱する係止金具を取り付けるようにしたものであるから、昇降杆の鉤片が常に外枠内に位置していて外方に突出するようなことがないため、従来のようにパチンコ遊技機の組立時に鉤片が外枠に突き当たって折れ曲がったり店員が前面枠を開放した際に鉤片に手を引掛けてけがを負うような事態を完全に解消することができる。
【００２５】
また、外枠の開放側内側面に沿って固着される施錠装置の固定プレートにシリンダ錠取付用のブラケットを形成し、該ブラケットにシリンダ錠をねじで着脱自在に止着するようにしたものであるから、その止着用ねじを外すだけの簡単な作業でシリンダ錠を容易かつ迅速に交換することができる。
【図面の簡単な説明】
【図１】本発明が適用されるパチンコ遊技機の正面図である。
【図２】図１のパチンコ遊技機の前面枠を開放した状態の斜視図である。
【図３】本発明に係る施錠装置の斜視図である。
【図４】図３の分解斜視図である。
【図５】前面枠の施錠状態を示す側面断面図である。
【図６】前面枠が開放された状態の側面断面図である。
【図７】前面枠の施錠状態を示す要部の正面断面図である。
【図８】前面枠の解錠状態を示す要部の正面断面図である。
【図９】ガラス扉の解錠状態を示す要部の正面断面図である。
【図１０】ガラス扉の錠止装置部分の平面断面図である。
【図１１】従来技術の説明図である。
【符号の説明】
１              外枠
２              前面枠
５              ガラス扉
１０，１０      係止金具
１１            固定プレート
１２            昇降杆
１３            シリンダ錠
２１，２１      鉤片
２５，２５      ブラケット
２９            鍵孔
３５            錠軸
３８            カム板
４１            開口孔
４２            板ばね（付勢手段）
【図１】
0003871791.tif 000002
【図２】
0003871791.tif 000003
【図３】
0003871791.tif 000004
【図４】
0003871791.tif 000005
【図５】
0003871791.tif 000006
【図６】
0003871791.tif 000007
【図７】
0003871791.tif 000008
【図８】
0003871791.tif 000009
【図９】
0003871791.tif 000010
【図１０】
0003871791.tif 000011
【図１１】
0003871791.tif 000012